(57)【特許請求の範囲】
【請求項１】
ＨＤＭＩを使用したシンク機器の電力供給方法において、
前記ＨＤＭＩを介してソース機器と連結されるステップと、
前記ソース機器のバッテリー状態を判断するステップであって、前記ソース機器からの特定信号が検出されるとき、前記バッテリー状態はしきい値より高いと判断され、前記特定信号が検出されないとき、前記バッテリー状態は前記しきい値より低いと判断される、ステップと、
前記バッテリー状態が前記しきい値より低いと前記シンク機器が判断するとき、前記連結されたＨＤＭＩを介して、既に設定された電力レベルの電力を前記ソース機器に供給するステップと、
前記バッテリー状態が前記しきい値より高いと前記シンク機器が判断するとき、
ＨＰＤ信号を送信するステップと、
前記シンク機器の電力供給支援情報が含まれたＥＤＩＤ情報を前記ソース機器に送信するステップと、
前記ソース機器の要請電力特性情報を受信するステップと、
前記シンク機器が前記ソース機器に電力を供給する準備が完了したことを指示する値を前記シンク機器のＳＣＤＣＳに含まれる準備完了フィールドに書き込むステップと、
前記書き込みされた準備完了フィールドに含まれる電力供給準備完了情報を前記ソース機器に送信するステップと、
前記要請電力特性情報に基づいて前記ソース機器に電力を供給するステップと、
を含む、シンク機器の電力供給方法。
【請求項２】
前記電力供給支援情報は、前記シンク機器が電力供給を支援できるか否かを示す電力供給可能情報または前記シンク機器により支援される電力レベルを示す供給電力レベル情報の少なくとも１つを含み、
前記電力供給支援情報は、ＨＦ−ＶＳＤＢ形式で受信される、請求項１に記載のシンク機器の電力供給方法。
【請求項３】
前記要請電力特性情報は、前記シンク機器が電力供給機器として機能することを要請する要請情報または前記シンク機器から供給を受けようとする電力レベルを示す要請電力情報の少なくとも１つを含み、
前記要請電力特性情報は、ＳＣＤＣパラメータとして送信される、 請求項１に記載のシンク機器の電力供給方法。
【請求項４】
ＨＤＭＩを使用したソース機器の電力受信方法において、
前記ＨＤＭＩを介してシンク機器と連結されるステップと、
前記ソース機器のバッテリー状態がしきい値より低いとき、前記ＨＤＭＩを介して前記シンク機器から既に設定された電力レベルの電力を受信するステップと、
前記ソース機器の前記バッテリー状態が前記しきい値より高いとき、
前記シンク機器に特定信号を送信するステップと、
前記シンク機器からＨＰＤ信号を受信するステップと、
前記シンク機器から前記シンク機器の電力供給支援情報が含まれたＥＤＩＤ情報を受信するステップと、
前記受信したＥＤＩＤ情報をパーシングすることにより、前記電力供給支援情報を獲得するステップと、
前記ソース機器の要請電力特性情報を前記シンク機器に送信するステップと、
前記シンク機器のＳＣＤＣＳに含まれる準備完了フィールドにより指示される電力供給準備完了情報を受信するステップと、
前記シンク機器から前記要請電力特性情報に基づいて電力を受信するステップと、
を含む、ソース機器の電力受信方法。
【請求項５】
前記電力供給支援情報は、前記シンク機器が電力供給を支援できるか否かを示す電力供給可能情報または前記シンク機器により支援される電力レベルを示す供給電力レベル情報の少なくとも１つを含み、
前記電力供給支援情報は、ＨＦ−ＶＳＤＢ形式で受信される、請求項４に記載のソース機器の電力受信方法。
【請求項６】
前記要請電力特性情報は、前記シンク機器が電力供給機器として機能することを要請する要請情報または前記シンク機器から供給を受けようとする電力レベルを示す要請電力情報の少なくとも１つを含み、
前記要請電力特性情報は、ＳＣＤＣパラメータとして送信される、 請求項４に記載のソース機器の電力受信方法。
【請求項７】
ＨＤＭＩを使用して電力を供給するシンク機器において、
前記ＨＤＭＩを介してデータを送受信するＨＤＭＩ受信機と、
前記ＨＤＭＩを介して電力の供給を制御するパワー制御ユニットと、
前記ＨＤＭＩ受信機及び前記パワー制御ユニットを制御するコントロールユニットと、を含み、
前記シンク機器は、
前記ＨＤＭＩを介してソース機器と連結され、
前記ソース機器のバッテリー状態を判断し、前記ソース機器からの特定信号が検出されるとき、前記バッテリー状態はしきい値より高いと判断され、前記特定信号が検出されないとき、前記バッテリー状態は前記しきい値より低いと判断され、
前記バッテリー状態が前記しきい値より低いと前記シンク機器が判断するとき、前記連結されたＨＤＭＩを介して、既に設定された電力レベルの電力を前記ソース機器に供給し、
前記バッテリー状態が前記しきい値より高いと前記シンク機器が判断するとき、
ＨＰＤ信号を送信し、
前記シンク機器の電力供給支援情報が含まれたＥＤＩＤ情報を前記ソース機器に送信し、
前記ソース機器の要請電力特性情報を受信し、
前記シンク機器が前記ソース機器に電力を供給する準備が完了したことを指示する値を前記シンク機器のＳＣＤＣＳに含まれる準備完了フィールドに書き込み、
前記書き込みされた準備完了フィールドにより示される電力供給準備完了情報を前記ソース機器に送信し、
前記要請電力特性情報に基づいて前記ソース機器に電力を供給するよう構成される、シンク機器。
【請求項８】
前記電力供給支援情報は、前記シンク機器が電力供給を支援できるか否かを示す電力供給可能情報または前記シンク機器により支援される電力レベルを示す供給電力レベル情報の少なくとも１つを含み、
前記電力供給支援情報は、ＨＦ−ＶＳＤＢ形式である、請求項７に記載のシンク機器。
【請求項９】
前記要請電力特性情報は、前記シンク機器が電力供給機器として機能することを要請する要請情報または前記シンク機器から供給を受けようとする電力レベルを示す要請電力情報の少なくとも１つを含み、
前記要請電力特性情報は、ＳＣＤＣパラメータである、 請求項７に記載のシンク機器。
【請求項１０】
ＨＤＭＩを使用して電力を受信するソース機器において、
前記ＨＤＭＩを介してデータを送受信するＨＤＭＩ送信機と、
前記ＨＤＭＩを介して電力受信を制御するパワー制御ユニットと、
前記ＨＤＭＩ送信機及び前記パワー制御ユニットを制御するコントロールユニットと、を含み、
前記ソース機器は、
前記ＨＤＭＩを介してシンク機器と連結され、
前記ソース機器のバッテリー状態がしきい値より低いとき、前記ＨＤＭＩを介して前記シンク機器から既に設定された電力レベルの電力を受信し、
前記ソース機器の前記バッテリー状態が前記しきい値より高いとき、
前記シンク機器に特定信号を送信し、
前記シンク機器からＨＰＤ信号を受信し、
前記シンク機器の電力供給支援情報が含まれたＥＤＩＤ情報を前記シンク機器から受信し、
前記受信したＥＤＩＤ情報をパーシングすることにより、前記電力供給支援情報を獲得し、
前記ソース機器の要請電力特性情報を前記シンク機器に送信し、
前記シンク機器のＳＣＤＣＳに含まれる準備完了フィールドにより指示される電力供給準備完了情報を受信し、
前記シンク機器から前記要請電力特性情報に基づいて電力を受信するよう構成される、ソース機器。
【請求項１１】
前記電力供給支援情報は、前記シンク機器が電力供給を支援できるか否かを示す電力供給可能情報または前記シンク機器により支援される電力レベルを示す供給電力レベル情報の少なくとも１つを含み、
前記電力供給支援情報は、ＨＦ−ＶＳＤＢ形式であり、
前記要請電力特性情報は、前記シンク機器が電力供給機器として機能することを要請する要請情報または前記シンク機器から供給を受けようとする電力レベルを示す要請電力情報の少なくとも１つを含み、
前記要請電力特性情報は、ＳＣＤＣパラメータである、 請求項１０に記載のソース機器。
【発明の詳細な説明】
【技術分野】
【０００１】
本発明はＨＤＭＩ（High Definition Multimedia Interface）を使用する電力送受信装置及び方法に関し、特にＰソース機器がＨＤＭＩを用いてＰシンク機器に電力を転送する方法及びその装置に関する。
【背景技術】
【０００２】
ＨＤＭＩは個人用コンピュータとディスプレイのインターフェース標準規格であるＤＶＩ（Digital Visual Interface）をＡＶ電子製品用に開発したインターフェース／規格で、ＨＤＭＩは映像／音声を圧縮せず、プレーヤーでディスプレイ機器側に転送するのでソース（source）機器と−シンク（sink）機器との間の遅延（Latency）がほとんどないし、別途のデコーダチップやソフトウェアを必要としないのでフォーマット互換性が高い。また、ビデオ信号、オーディオ信号、及びコントロール信号がケーブル１つで転送されるので、複雑であったＡＶ機器の配線を簡単にすることができ、不法複製の防止のための暗号と技術（ＨＤＣＰ：High-bandwidth Digital Content Protection）を支援して著作権保護機能まで提供することができる。
【発明の概要】
【発明が解決しようとする課題】
【０００３】
現在ＨＤＭＩのような高速有線インターフェースは、無圧縮映像を転送する用途に主に使われている。そして、低電力スマートフォン、タブレット、ウルトラノートブックなどの携帯用機器の普及拡散及びこれら機器での再生される高画質映像の外部の大きい画面を有する機器（例：ＴＶ、プロジェクタなど）で見るために、ＨＤＭＩ、Displayportなどの高速有線インターフェースの使用が徐々に増加している。
【０００４】
しかしながら、長時間の間携帯用機器を駆動する場合、最適の駆動のために持続的な外部電源供給が必要であり、このために常に外部電源ケーブルを連結しなければならない。しかしながら、有線インターフェースが電力伝達機能を支援しないので、電源ケーブル連結用途に使用する機器は別途の装置を用いて外部電源と有線インターフェースを使用しなければならないという不便性がある。したがって、外部の別途装置無しで有線インターフェースを使用して電源供給を支援する方法が必要である。
【課題を解決するための手段】
【０００５】
前述した技術的課題を解決するために、本発明の一実施形態に従うＨＤＭＩ（High Definition Multimedia Interface）を使用したシンク機器の電力供給方法において、前記ＨＤＭＩを介してソース機器と連結されるステップ、既に設定された時間の間、前記ソース機器から＋５Ｖ信号を未受信するステップ、既に設定された電力レベルで前記連結されたＨＤＭＩを介して前記ソース機器に電力を供給するステップ、前記ソース機器から前記＋５Ｖ信号を受信するステップ、ＨＰＤ（Hot Plug Detect）信号を転送するステップ、前記シンク機器の電力供給支援情報が含まれたＥＤＩＤ（Extended Display Identification Data）情報を前記ソース機器に転送するステップ、前記ソース機器の要請電力特性情報を受信するステップ、及び前記要請電力特性情報に基づいて前記ソース機器に電力を供給するステップを含むことができる。
【０００６】
また、前記電力供給支援情報は、前記シンク機器が電力供給支援が可能か否かを示す電力供給可能情報または前記シンク機器が支援する電力レベルを示す供給電力レベル情報のうちの少なくとも１つを含み、及びＨＦ−ＶＳＤＢ（HDMI Forum-Vendor Specific Data Block）として受信できる。
【０００７】
また、前記要請電力特性情報は、前記シンク機器が電力供給機器として機能することを要請する要請情報または前記シンク機器から供給を受けようとする電力レベルを示す要請電力情報のうちの少なくとも１つを含み、及びＳＣＤＣ（Status and Control Data Channel）パラメータとして転送できる。
【０００８】
また、前記シンク機器の電力供給方法は、前記ソース機器に前記電力を供給する準備が完了したことを知らせる準備完了メッセージを転送するステップをさらに含むことができる。
【０００９】
また、前記準備完了メッセージを転送するステップは、前記シンク機器のＳＣＤＣＳ（Status and Control Data Channel Structure）に含まれた準備完了フィールドに前記ソース機器に前記電力を供給する準備が完了されたことを指示する値を書き込むステップ、及び前記書き込みされた準備完了フィールドが指示する情報を前記準備完了メッセージとして前記ソース機器に転送するステップを含むことができる。
【００１０】
また、本発明の他の実施形態に従うＨＤＭＩ（High Definition Multimedia Interface）を使用したソース機器の電力受信方法において、前記ＨＤＭＩを介してシンク機器と連結されるステップ、前記ＨＤＭＩを介して前記シンク機器から電力の供給を受けるステップ、前記シンク機器に＋５Ｖ信号を転送するステップ、前記シンク機器からＨＰＤ（Hot Plug Detect）信号を受信するステップ、前記シンク機器から前記シンク機器の電力供給支援情報が含まれたＥＤＩＤ（Extended Display Identification Data）情報を受信するステップ、前記受信したＥＤＩＤ情報をパーシングして、前記電力供給支援情報を獲得するステップ、前記ソース機器の要請電力特性情報を前記シンク機器に転送するステップ、及び前記シンク機器から前記要請電力特性情報に基づいて電力の供給を受けるステップを含むことができる。
【００１１】
また、前記電力供給支援情報は、前記シンク機器が電力供給支援が可能か否かを示す電力供給可能情報または前記シンク機器が支援する電力レベルを示す供給電力レベル情報のうちの少なくとも１つを含み、及びＨＦ−ＶＳＤＢ（HDIM Forum-Vendor Specific Data Block）として受信できる。
【００１２】
また、前記要請電力特性情報は、前記シンク機器が電力供給機器として機能することを要請する要請情報または前記シンク機器から供給を受けようとする電力レベルを示す要請電力情報のうちの少なくとも１つを含み、及びＳＣＤＣ（Status and Control Data Channel）パラメータとして転送できる。
【００１３】
また、前記ソース機器の電力受信方法は、前記シンク機器から前記シンク機器が前記電力を供給する準備が完了したことを知らせる準備完了メッセージを受信するステップをさらに含むことができる。
【００１４】
また、前記準備完了メッセージを受信するステップは、前記シンク機器のＳＣＤＣＳ（Status and Control Data Channel Structure）に含まれた準備完了フィールドが指示する電力供給準備完了情報を前記準備完了メッセージとして受信するステップでありうる。
【００１５】
また、本発明の他の実施形態に従うＨＤＭＩ（High Definition Multimedia Interface）を使用して電力を供給するシンク機器において、前記ＨＤＭＩを介してデータを送受信するＨＤＭＩ受信機、前記ＨＤＭＩを介しての電力供給を制御するパワー制御ユニット、及び前記ＨＤＭＩ受信機及び前記パワー制御ユニットをコントロールするコントロールユニットを含み、前記シンク機器は、前記ＨＤＭＩを介してソース機器と連結され、既に設定された時間の間、前記ソース機器から＋５Ｖ信号を未受信し、既に設定された電力レベルで前記連結されたＨＤＭＩを介して前記ソース機器に電力を供給し、前記ソース機器から前記＋５Ｖ信号を受信し、ＨＰＤ（Hot Plug Detect）信号を転送し、前記シンク機器の電力供給支援情報が含まれたＥＤＩＤ（Extended Display Identification Data）情報を前記ソース機器に転送し、前記ソース機器の要請電力特性情報を受信し、及び前記要請電力特性情報に基づいて前記ソース機器に電力を供給することができる。
【００１６】
また、前記電力供給支援情報は、前記シンク機器が電力供給支援が可能か否かを示す電力供給可能情報または前記シンク機器が支援する電力レベルを示す供給電力レベル情報のうちの少なくとも１つを含み、及びＨＦ−ＶＳＤＢ（HDMI Forum-Vendor Specific Data Block）として受信できる。
【００１７】
また、前記要請電力特性情報は、前記シンク機器が電力供給機器として機能することを要請する要請情報または前記シンク機器から供給を受けようとする電力レベルを示す要請電力情報のうちの少なくとも１つを含み、及びＳＣＤＣ（Status and Control Data Channel）パラメータとして転送できる。
【００１８】
また、前記シンク機器は、前記ソース機器に前記電力を供給する準備が完了したことを知らせる準備完了メッセージを転送することができる。
【００１９】
また、前記準備完了メッセージを転送する場合、前記シンク機器は、前記シンク機器のＳＣＤＣＳ（Status and Control Data Channel Structure）に含まれた準備完了フィールドに前記ソース機器に前記電力を供給する準備が完了したことを指示する値を書き込み、前記書き込みされた準備完了フィールドが指示する情報を前記準備完了メッセージとして前記ソース機器に転送することができる。
【００２０】
また、本発明の他の実施形態に従うＨＤＭＩ（High Definition Multimedia Interface）を使用して電力を受信するソース機器において、前記ＨＤＭＩを介してデータを送受信するＨＤＭＩ送信機、前記ＨＤＭＩを介しての電力受信を制御するパワー制御ユニット、及び前記ＨＤＭＩ送信機及び前記パワー制御ユニットをコントロールするコントロールユニットを含み、前記ソース機器は、前記ＨＤＭＩを介してシンク機器と連結され、前記ＨＤＭＩを介して前記シンク機器から電力の供給を受けて、前記シンク機器に＋５Ｖ信号を転送し、前記シンク機器からＨＰＤ（Hot Plug Detect）信号を受信し、前記シンク機器から前記シンク機器の電力供給支援情報が含まれたＥＤＩＤ（Extended Display Identification Data）情報を受信し、前記受信したＥＤＩＤ情報をパーシングして、前記電力供給支援情報を獲得し、前記ソース機器の要請電力特性情報を前記シンク機器に転送し、及び前記シンク機器から前記要請電力特性情報に基づいて電力の供給を受けることができる。
【００２１】
また、前記電力供給支援情報は、前記シンク機器が電力供給支援が可能か否かを示す電力供給可能情報または前記シンク機器が支援する電力レベルを示す供給電力レベル情報のうちの少なくとも１つを含み、及びＨＦ−ＶＳＤＢ（HDIM Forum-Vendor Specific Data Block）として受信できる。
【００２２】
また、前記要請電力特性情報は、前記シンク機器が電力供給機器として機能することを要請する要請情報または前記シンク機器から供給を受けようとする電力レベルを示す要請電力情報のうちの少なくとも１つを含み、及びＳＣＤＣ（Status and Control Data Channel）パラメータとして転送できる。
【００２３】
また、前記ソース機器は、前記シンク機器から前記シンク機器が前記電力を供給する準備が完了したことを知らせる準備完了メッセージを受信することができる。
【００２４】
また、前記準備完了メッセージを受信する場合、前記ソース機器は、前記シンク機器のＳＣＤＣＳ（Status and Control Data Channel Structure）に含まれた準備完了フィールドが指示する電力供給準備完了情報を前記準備完了メッセージとして受信することができる。
【発明の効果】
【００２５】
本発明によれば、ＨＤＭＩを介してソース機器とシンク機器との間の電力送受信が可能であるので、別途のケーブル連結無しでソース機器の電源供給が可能である。
【００２６】
また、本発明によれば、ソース機器がＥＤＩＤ情報を通じてシンク機器が電力供給能力があるかが分かるので、シンク機器の種類によって電力を受信することができる。
【００２７】
また、本発明によれば、Ｐシンク機器が支援する電力情報を転送することによって、Ｐソース機器で適切なレベルで電力を供給することができる。
【００２８】
また、本発明によれば、Ｐソース機器またはＰシンク機器が相手機器との電力情報をマッチングすることによって、最適のレベルで電力供給／受信を遂行することができる。
【００２９】
また、本発明によれば、Ｐシンク機器が電力供給を必要とする場合、ＳＣＤＣＳを介してＰソース機器に電力供給を直接要請することができる。したがって、ユーザが一々に電力供給を設定しなくてもＰシンク機器が必要によってＰソース機器に要請することができるので、ユーザ側不便性を解消することができる。
【００３０】
また、本発明によれば、ソース機器またはシンク機器は、既存ＨＤＭＩ連結ステップでの信号を用いて相手機器のバッテリーが少ないか無いことをディテクトし、相手機器に電力を転送することができる。
【００３１】
以外に、本発明の有利な効果は発明の実施のための最善の形態で詳細に後述する。
【図面の簡単な説明】
【００３２】
【図１】本発明の一実施形態に従うＨＤＭＩシステムを示すブロック図である。
【図２】本発明の第１実施形態に従うＨＤＭＩシステムの電力送受信動作に関する順序図である。
【図３】本発明の第２実施形態に従うＨＤＭＩシステムの電力送受信動作に関する順序図である。
【図４】本発明の第３実施形態に従うＨＤＭＩシステムの電力送受信動作に関する順序図である。
【図５】本発明の第４実施形態に従うＨＤＭＩシステムの電力送受信動作に関する順序図である。
【図６】本発明の第５実施形態に従うＨＤＭＩシステムの電力送受信動作に関する順序図である。
【図７】本発明の第６実施形態に従うＨＤＭＩシステムの電力送受信動作に関する順序図である。
【図８】本発明の一実施形態に従うlow/dead Batteryであるソース機器に電力を供給するＨＤＭＩシステムに関する順序図である。
【図９】本発明の一実施形態に従うlow/dead Batteryであるシンク機器に電力を供給するＨＤＭＩシステムに関する順序図である。
【発明を実施するための形態】
【００３３】
本明細書において使用される用語は、本明細書での機能を考慮しつつ、なるべく現在広く使用される一般的な用語を選択したが、これは、当分野に従事する技術者の意図、慣例、または新しい技術の出現などによって変わることができる。また、特定の場合は、出願人が任意に選定した用語もあり、この場合、該当する実施形態の説明部分でその意味を記載するであろう。したがって、本明細書において使用される用語は、単純な用語の名称でない、その用語でない実質的な意味と、本明細書の全般にわたる内容に基づいて解釈されるべきであることを明かしておく。
【００３４】
さらに、以下、添付図面及び添付図面に記載された内容を参照して実施形態を詳細に説明するが、実施形態により制限されるか、限定されるものではない。
【００３５】
以下、添付した図面を参照して本発明の望ましい実施形態をより詳細に説明する。
【００３６】
図１は、本発明の一実施形態に従うＨＤＭＩシステムのブロック図である。以下では、ＨＤＭＩを用いてビデオ／オーディオ／コントロールデータを送受信する機器を通称してＨＤＭＩシステムと称する。
【００３７】
図１を参照すると、ＨＤＭＩシステムは、ソース機器１００及びシンク機器２００を含むことができる。特に、ＨＤＭＩシステムでＨＤＭＩを介してビデオ／オーディオデータを転送する機器はソース機器１００に該当し、ＨＤＭＩを介してビデオ／オーディオデータを受信する機器はシンク機器２００に該当することができる。この際、２機器を連結してデータ送受信を支援する物理的装置としてＨＤＭＩケーブル及びコネクタが提供できる。
【００３８】
ＨＤＭＩケーブル及びコネクタは、ＴＭＤＳ（Transition Minimized Differential Signaling）データチャンネル及びＴＭＤＳクロックチャンネルを提供する４個のチャンネルのペアリングを遂行することができる。ＴＭＤＳデータチャンネルは、ビデオデータ、オーディオデータ、及び付加（auxiliary）データを伝達することに使用できる。
【００３９】
追加で、ＨＤＭＩシステムは、ＶＥＳＡ（Video Electronics Standards Association）ＤＤＣ（Display Data Channel）を提供する。ＤＤＣは、ソース機器とシンク機器との間の構成（Configuration）及び状態（status）情報交換に使われる。ＣＥＣプロトコルは、ユーザ環境の多様なオーディオビジュアル製品の間のハイ−レベルのコントロール機能を提供することができ、オプショナル（optional）に使われることもできる。また、オプショナルＨＥＡＣ（HDMI Ethernet and Audio Return Channel）は、ＴＭＤＳから反対方向にＡＲＣ（Audio Return Channel）及び連結された機器の間のイーサネット（Ethernet）互換データネットワーキングを提供することもできる。
【００４０】
ビデオデータ、オーディオデータ、及び付加データは、３個のＴＭＤＳデータチャンネルを介して転送／受信できる。ＴＭＤＳクロックは、通常的にビデオピクセルレートを運用（run）し、ＴＭＤＳクロックチャンネルを介して転送される。ＴＭＤＳクロックはＨＤＭＩ受信機で３個のＴＭＤＳデータチャンネルでのデータリカバリー（recovery）のための基準周波数（frequency reference）として使用できる。ソース機器で、ＴＭＤＳデータチャンネル当たり８ビットのデータは１０ビットのＤＣバランシングされた、トランジション（transition）が最小化されたシーケンスに変換されて、ＴＭＤＳクロック周期（period）当たり１０ビットのレート（rate）でシリアルに転送できる。
【００４１】
ＴＭＤＳチャンネルを介してオーディオデータ及び付加データを転送するために、ＨＤＭＩはパケット構造を使用する。オーディオデータ及びコントロールデータのための高い信頼度（reliability）を達成するために、データはＢＣＨエラー訂正コード及びエラー減少コーディングを使用して生成される１０ビットのワードとして転送できる。
【００４２】
ソース機器はＤＤＣ（Display Data Channel）シンク機器のＥ−ＥＤＩＤ（Enhanced Extended Display Identification Data）を読み取ってシンク機器の構成情報及び可能な機能を見つけることができる。Ｅ−ＥＤＩＤは以下にＥＤＩＤ情報と称することもできる。
【００４３】
ユーティリティラインは、ＨＥＡＣのようなオプショナルな拡張機能に使用できる。
【００４４】
ソース機器１００は、シンク機器２００からＤＤＣチャンネルを介してＥＤＩＤ（Extended Display Identification Data）情報を受信することができる。ソース機器１００は、受信したＥＤＩＤ情報をパーシングしてシンク機器２００の構成情報及び支援機能などを認識することができる。ＥＤＩＤ情報は、シンク機器２００に関する多様な情報を含む少なくとも１つのブロックを含むことができる。
【００４５】
特に、本発明の一実施形態に従うＥＤＩＤ情報は、電力送受信においてシンク機器２００の機能及び電力供給能力に対する情報を含むことができる。ソース機器１００は、このようなＥＤＩＤ情報を通じてシンク機器２００の電力送／受信能力を認知し、これによってシンク機器２００に電力を転送するか、またはシンク機器２００から電力を受信することができる。
【００４６】
ソース機器１００は、ディスプレイユニット１１０、ユーザ入力インターフェースユニット１２０、コントロールユニット１８０、送信機Ｔｘ、メモリユニット１４０、ストレージユニット１５０、マルチメディアユニット１６０、パワー制御ユニット１３０、及びパワー供給ユニット１７０のうち、少なくとも１つを備える。
【００４７】
シンク機器２００は、ＥＤＩＤ ＥＥＰＲＯＭ ２１０、パワー制御ユニット２２０、ディスプレイユニット２３０、ユーザ入力インターフェースユニット２４０、受信機Ｒｘ、コントロールユニット２８０、パワー供給ユニット２５０、メモリユニット２６０、及びマルチメディアユニット２７０のうち、少なくとも１つを備える。以下において、同じ動作を行うユニットに対する説明は重複しないようにする。
【００４８】
ソース機器１００は、ストレージユニット１５０に保存されたコンテンツをシンク機器２００に送信するか、ストリーミングする物理的装置を表す。ソース機器１００は、シンク機器２００に要請（ｒｅｑｕｅｓｔ）メッセージを送るか、シンク機器２００から受信した要請メッセージを受信して処理することができる。ソース機器１００は、送信した要請メッセージに対してシンク機器２００が送信する応答メッセージを処理してユーザに伝達するＵＩを提供でき、ソース機器１００がディスプレイユニット１１０を含む場合には、このＵＩをディスプレイに提供することができる。また、ソース機器１００は、供給を受けようとする電力をシンク機器２００に要請することができる。
【００４９】
シンク機器２００は、ソース機器１００からコンテンツを受信し、ソース機器１００に要請メッセージを送信するか、ソース機器１００から受信したメッセージを処理して応答メッセージを送信できる。シンク機器２００もソース機器１００から受信する応答メッセージを処理してユーザに伝達するＵＩ（User Interface）を提供でき、シンク機器２００がディスプレイユニットを含む場合には、このＵＩをディスプレイに提供することができる。また、シンク機器２００は、ソース機器１００で要請した電力をソース機器１００に供給することができる。
【００５０】
ユーザ入力インターフェースユニット１２０、２４０は、ユーザのアクションまたは入力を受信でき、実施形態としてユーザ入力インターフェース１２０、２４０は、リモートコントローラ、音声受信／認識装置、タッチ入力センシング／受信装置などに該当することができる。
【００５１】
コントロールユニット１８０、２８０は、各機器の全般的な動作を制御できる。特に、コントロールユニット１８０、２８０は、各機器に含まれたユニット間の通信を行い、各ユニットの動作を制御できる。
【００５２】
メモリユニット１４０、２６０は、様々な種類のデータが仮に保存される揮発性物理装置を表す。
【００５３】
ストレージユニット１５０は、様々な種類のデータを保存できる非揮発性物理的装置を表す。
【００５４】
ＥＤＩＤ ＥＥＰＲＯＭ ２１０は、ＥＤＩＤ情報を保存しているＥＥＰＲＯＭを表す。
【００５５】
上述したメモリユニット１４０、２６０、ストレージユニット１５０、ＥＤＩＤ ＥＥＰＲＯＭ ２１０は、共にデータを保存する役割をし、これらを全てメモリユニットとして通称することもできる。
【００５６】
ディスプレイユニット１１０、２３０はＨＤＭＩを介して受信されたデータまたはコンテンツ、メモリユニットに格納されたデータ及びＵＩなどをコントロールユニット１８０、２８０の制御によりディスプレイすることができる。
【００５７】
マルチメディアユニット１６０、２７０は、様々な種類のマルチメディアを再生できる。マルチメディアユニット１６０、２７０は、コントロールユニット１８０、２８０と別に実現されるか、コントロールユニット１８０、２８０と１つの物理的構成として実現されることもできる。
【００５８】
パワー供給ユニット１７０、２５０は、ソース機器１００、シンク機器２００、及びこれらに含まれたユニットの動作に必要な電力を供給できる。
【００５９】
送信機Ｔｘはソース機器１００に備えられてＨＤＭＩを介してデータを送受信するユニットであって、オーディオ／ビデオデータだけでなく機器間のコマンド、要請、アクション、応答などのメッセージを含むデータ送受信を遂行する。
【００６０】
受信機Ｒｘはシンク機器２００に備えられてＨＤＭＩを介してデータを送受信するユニットであって、オーディオ／ビデオデータだけでなく機器間のコマンド、要請、アクション、応答などのメッセージを含むデータ送受信を遂行する。
【００６１】
パワー制御ユニット１３０、２２０は、送受信機を介しての機器間の電力送受信を管理及び制御することができる。
【００６２】
上述した各ユニットのうち、送信機Ｒｘ、受信機Ｔｘ、コントロールユニット１８０、２８０を除いたユニットは、実施形態によって選択的にソース機器１００またはシンク機器２００に含まれることができ、必須的な構成ユニットに該当しないこともある。
【００６３】
既存にはＨＤＭＩシステムでソース機器及びシンク機器間の電力転送が支援されなかった。その結果、長時間の間携帯用機器を駆動する場合、最適の駆動のために常に外部電源ケーブルを連結しなければならない不便性が存在した。このような不便性を解消するために、本明細書ではＨＤＭＩシステムで有線インターフェースが電力伝達機能を支援するようにして外部の別途装置なくてもＨＤＭＩシステムの最適の駆動を保証する方法を提案することにする。
【００６４】
以下、説明の便宜のために、電力を供給（または、転送）する機器をＰソース機器、電力の供給（または、受信）を受ける機器をＰシンク機器と称する。また、Ｐソース機器及びＰシンク機器の機能を同時に支援する機器をデュアル機器と称することにする。
【００６５】
図２は、本発明の第１実施形態に従うＨＤＭＩシステムの電力送受信動作に関する順序図である。本順序図でソース機器はＰシンク機器またはデュアル機器として動作し、シンク機器はＰソース機器として動作する。
【００６６】
図２を参照すると、まず、シンク機器は電力供給支援情報をソース機器に転送することができる（Ｓ２０１０）。
【００６７】
より詳しくは、ＨＤＭＩケーブルを介してソース機器とシンク機器が連結する場合、ソース機器はシンク機器からＥＤＩＤ情報を受信することができる。この際、ソース機器が受信するＥＤＩＤ情報にはシンク機器の電力供給支援情報が含まれていることができる。電力供給支援情報はＥＤＩＤ情報内のＨＦ−ＶＳＤＢ（HDMI Forum-Vendor Specific Data Block）に含まれて送受信できる。電力供給支援情報はシンク機器がＰソース機能の支援が可能であることを示す電力供給可能情報及び／又はＰソース機器としてＰシンク機器に供給可能な（最大）電力レベルに関する供給電力レベル情報を含むことができる。したがって、ソース機器はこのようなＥＤＩＤ情報を受信及びパーシングして、シンク機器のＰソース機器としての電力供給能力に関する多様な情報を獲得することができる。
【００６８】
次に、ソース機器は要請電力特性情報をシンク機器に転送することができる（Ｓ２０２０）。
【００６９】
より詳しくは、ソース機器は要請電力特性情報としてシンク機器がＰソース機器として機能することを要請する要請情報及び／又はＰソース機器であるシンク機器から供給を受けることを所望する（最小）電力レベルに関する要請電力情報をシンク機器に転送することができる。この際、シンク機器に転送される要請情報及び／又は要請電力特性情報は、ＳＣＤＣ（Status and Control Data Channel）パラメータフォーマットで転送され、シンク機器に格納されているＳＣＤＣＳ（Status and Control Data Channel Structure）の要請フィールド（Power_Required_Source bit）及び要請電力特性フィールド（Power configuration register）に各々書き込み（write）（または、設定／アップデート）できる。シンク機器はアップデートされた前記フィールドを読み取ることによって、ソース機器の電力供給要請と共に供給を受けることを所望する電力レベルが分かる。
【００７０】
次に、シンク機器はソース機器に電力を供給する準備をすることができる（Ｓ２０３０）。例えば、シンク機器はソース機器が所望のレベルの電力を物理的に供給してくれるための回路トランジション動作などを遂行することができる。
【００７１】
次に、シンク機器は電力を供給する準備が完了したことを知らせる準備完了メッセージをソース機器に転送することができる（Ｓ２０４０）。より詳しくは、ソース機器が要請した電力レベルで電力供給の準備を完了したシンク機器は、ＳＣＤＣＳ内の準備完了フィールド（Power_Supply_Ready bit）を電力供給の準備完了（または、シンク機器がＰソースとして機能すること）を示す既に設定された値で書き込む（write）ことができる。ソース機器はアップデートされた前記フィールドをシンク機器から読み取ることによって、シンク機器が電力を供給する準備が完了したことが分かる。この場合、シンク機器は準備完了フィールドが指示する電力供給準備完了情報を準備完了メッセージとしてソース機器に転送することができる。
【００７２】
最後に、シンク機器はソース機器に電力供給を始めることができる（Ｓ２０５０）。より詳しくは、シンク機器はソース機器が要請したレベルの電力をソース機器にＨＤＭＩケーブルを介して転送することができる。
【００７３】
本順序図に図示してはいないが、追加でソース機器はシンク機器から電力が供給（または、提供）されたか、及び／又は供給されたならば、供給された電力レベルがどれ位か（即ち、電力供給の成功／失敗か否か）をディテクトして、これをシンク機器に知らせることができる。より詳しくは、ソース機器はシンク機器から電力供給が成功したか、または失敗したかを示す供給状態情報をＳＣＤＣパラメータフォーマットでシンク機器に転送することができる。この際、転送される情報はシンク機器のＳＣＤＣＳ内の供給状態フィールド（Power_Supply_Status bit）に書き込みされることができ、シンク機器はアップデートされた該当フィールドを読み取ることによって電力送信の成功か否かが分かる。
【００７４】
一方、ソース機器はステップＳ２０４０の以後、電力の供給を受けるまで既に設定された時間の間待機することができる。例えば、ソース機器はシンク機器から電力供給の準備が完了したという情報を受信した後（Ｓ２０４０）、実際の電力を受信するまで約１００ｍｓの間待機することができる。もし、１００ｍｓ内に電力が受信されない場合、ソース機器はシンク機器と電力供給を再折衝するためにステップＳ２０２０に回帰するか、または電力供給手続の中断を知らせるメッセージをシンク機器に転送することができる。
【００７５】
図３は、本発明の第２実施形態に従うＨＤＭＩシステムの電力送受信動作に関する順序図である。本順序図でソース機器はＰシンク機器として動作し、シンク機器はデュアル機器として動作する。シンク機器がデュアル機器の場合、シンク機器のデフォルト機能はＰソースでありうる。本順序図には図２で前述した説明が同一に適用できる。
【００７６】
図３を参照すると、まず、シンク機器は電力供給支援情報をソース機器に転送することができる（Ｓ３０１０）。
【００７７】
より詳しくは、ＨＤＭＩケーブルを介してソース機器とシンク機器が連結される場合、ソース機器はシンク機器からＥＤＩＤ情報を受信することができる。この際、ソース機器が受信するＥＤＩＤ情報にはシンク機器の電力供給支援情報が含まれていることができる。電力供給支援情報はＥＤＩＤ情報内のＨＦ−ＶＳＤＢに含まれて送受信できる。電力供給支援情報は、シンク機器がデュアル機能の支援が可能であることを示す電力供給／受信可能情報及びＰソース機器としてＰシンク機器に供給可能な最大電力レベルに関する供給電力レベル情報を含むことができる。
【００７８】
次に、ソース機器は要請電力特性情報をシンク機器に転送することができる（Ｓ３０２０）。
【００７９】
より詳しくは、ソース機器は要請電力特性情報としてシンク機器がＰソース機器として機能することを要請する要請情報及び／又はデュアル機器であるシンク機器から供給を受けることを所望する（最小）電力レベルに関する要請電力情報をシンク機器に転送することができる。この際、シンク機器に転送される要請情報及び／又は要請電力特性情報はＳＣＤＣ（Status and Control Data Channel）パラメータフォーマットで転送され、シンク機器に格納されているＳＣＤＣＳ（Status and Control Data Channel Structure）の要請フィールド（Power_Required_Source bit）及び要請電力特性フィールド（Power configuration register）に各々書き込み（または、設定／アップデート）できる。シンク機器はアップデートされた前記フィールドを読み取ることによってソース機器の電力供給要請と共に供給を受けることを所望する電力レベルが分かる。
【００８０】
次に、シンク機器はソース機器に電力を供給する準備をすることができる（Ｓ３０３０）。例えば、シンク機器はソース機器が所望のレベルの電力を物理的に供給するための回路トランジション動作などを遂行することができる。
【００８１】
次に、シンク機器は電力を供給する準備が完了したことを知らせる準備完了メッセージをソース機器に転送することができる（Ｓ３０４０）。より詳しくは、ソース機器が要請した電力レベルで電力供給の準備を完了したシンク機器は、ＳＣＤＣＳ内の準備完了フィールド（Power_Supply_Ready bit）を電力供給の準備完了（または、シンク機器がＰソースとして機能すること）を示す既に設定された値で書き込むことができる。ソース機器はアップデートされた前記フィールドをシンク機器から読み取ることによって、シンク機器が電力を供給する準備が完了したことが分かる。この場合、シンク機器は準備完了フィールドが指示する電力供給準備完了情報を準備完了メッセージとしてソース機器に転送することができる。
【００８２】
最後に、シンク機器はソース機器に電力供給を始めることができる（Ｓ３０５０）。より詳しくは、シンク機器はソース機器が要請したレベルの電力をソース機器にＨＤＭＩケーブルを介して転送することができる。
【００８３】
本順序図に図示してはいないが、図２で前述したように、追加でソース機器はシンク機器から電力が供給されたか、及び／又は供給されたならば、供給された電力レベルがどれ位か（即ち、供給状態情報）をディテクトして、これをシンク機器に知らせることができる。また、ソース機器はステップＳ３０４０の以後、電力の供給を受けるまで既に設定された時間の間待機することができる。
【００８４】
前述した第１及び第２実施形態を参照すると、各ソース／シンク機器の機能は多少差があるが、ＨＤＭＩシステムの全体的な動作は実施形態別に同一であることを確認することができる。したがって、第１及び第２実施形態の電力転送プロトコルに従う場合、各機器の機能によって互いに異なるプロトコルを適用する必要がないという点でＨＤＭＩシステムが単純になるという長所が存在する。
【００８５】
図４は、本発明の第３実施形態に従うＨＤＭＩシステムの電力送受信動作に関する順序図である。本順序図でソース機器はＰソース機器またはデュアル機器として動作し、シンク機器はＰシンク機器として動作する。本順序図には図２及び３で前述した説明が同一に適用できる。
【００８６】
図４を参照すると、まず、シンク機器は要請電力特性情報をソース機器に転送することができる（Ｓ４０１０）。
【００８７】
より詳しくは、ＨＤＭＩケーブルを介してソース機器とシンク機器が連結される場合、ソース機器はシンク機器からＥＤＩＤ情報を受信することができる。この際、ソース機器が受信するＥＤＩＤ情報にはシンク機器の要請電力特性情報が含まれていることができる。要請電力特性情報はＥＤＩＤ情報内のＨＦ−ＶＳＤＢに含まれて送受信できる。要請電力特性情報は、シンク機器がＰシンク機能の支援が可能であることを示す電力受信可能情報及びＰシンク機器としてＰソース機器から供給を受けようとする最小電力レベルに関する受信電力レベル情報を含むことができる。
【００８８】
次に、シンク機器は電力供給をソース機器に要請することができる（Ｓ４０２０）。
【００８９】
より詳しくは、シンク機器は電力供給が必要な場合、ＳＣＤＣＳ内の電力供給要請の有無を示す要請フィールド（Power_Required_Sink bit）の電力供給を要請する（または、シンク機器がＰシンクとして機能することを示す）既に設定された値で書き込むことができる。ソース機器はシンク機器のＳＣＤＣＳ内のアップデートされた該当フィールドを読み取ることによって、シンク機器の電力供給要請を受信することができる。
【００９０】
次に、ソース機器はシンク機器に電力を供給する準備をすることができる（Ｓ４０３０）。例えば、ソース機器はシンク機器が所望のレベルの電力を物理的に供給するための回路トランジション動作などを遂行することができる。この際、シンク機器やはりソース機器から電力を安定的に供給を受ける準備をすることができる。本動作は実施形態によって選択的に遂行できる。
【００９１】
次に、ソース機器はシンク機器が要請した電力レベルで電力を供給する準備が完了したことを知らせる準備完了メッセージをシンク機器に転送することができる（Ｓ４０４０）。例えば、ソース機器は電力を供給する準備が完了したことを知らせる準備完了メッセージをシンク機器に転送することができる。準備完了メッセージはＳＣＤＣ（Status and Control Data Channel）パラメータフォーマットで転送され、シンク機器に格納されているＳＣＤＣＳ（Status and Control Data Channel Structure）の準備完了フィールド（Power_Supply_Ready bit）に書き込み （または、設定／アップデート）できる。シンク機器はＳＣＤＣＳ内のアップデートされた前記フィールドを読み取ることによって、ソース機器が電力を供給する準備が完了したことが分かる。
【００９２】
最後に、ソース機器はシンク機器に電力供給を始めることができる（Ｓ４０５０）。より詳しくは、ソース機器はシンク機器が要請したレベルの電力をソース機器にＨＤＭＩケーブルを介して転送することができる。
【００９３】
一方、本順序図に図示してはいないが、ソース機器はシンク機器が供給を受けようとする電力レベルと自身が供給することができる電力レベルとを相互比較することができる（ステップＳ４０４０の以前、またはステップＳ４０３０で）。もし、２電力レベルがマッチングされる場合（即ち、シンク機器が要請したレベルの電力をソース機器が供給可能な場合）、ソース機器はシンク機器との電力折衝を続けて進行することができ（例えば、ステップＳ４０４０に進入することができ）、反対に、２電力レベルがマッチングされない場合（即ち、同一でない場合）、ソース機器はシンク機器との電力折衝を中断することができる。本動作は実施形態によって選択的に遂行されることができ、他のステップと順序が変更されることもできる。
【００９４】
また、図２で前述したように、本順序図に追加でシンク機器はソース機器から電力が供給されたか、及び／又は供給されたならば、供給された電力レベルがどれ位か（即ち、供給状態情報）をディテクトして、これをソース機器に知らせることができる。より詳しくは、シンク機器はソース機器から電力供給が成功したか、または失敗したかを示す情報をＳＣＤＣＳの供給状態フィールド（Power_Supply_Status bit）に格納することができる。ソース機器は、アップデートされた該当フィールドを読み取ることによって電力送信の成功か否かが分かる。
【００９５】
また、シンク機器はステップＳ４０４０の以後、電力の供給を受けるまで既に設定された時間の間待機することができる。
【００９６】
図５は、本発明の第４実施形態に従うＨＤＭＩシステムの電力送受信動作に関する順序図である。本順序図でソース機器はＰソース機器として動作し、シンク機器はデュアル機器として動作する。本順序図には図２から図４で前述した説明が同一に適用できる。
【００９７】
図５を参照すると、まず、シンク機器は要請電力特性情報をソース機器に転送することができる（Ｓ５０１０）。
【００９８】
より詳しくは、ＨＤＭＩケーブルを介してソース機器とシンク機器が連結される場合、ソース機器はシンク機器からＥＤＩＤ情報を受信することができる。この際、ソース機器が受信するＥＤＩＤ情報にはシンク機器の要請電力特性情報が含まれていることができる。要請電力特性情報はＥＤＩＤ情報内のＨＦ−ＶＳＤＢに含まれて送受信できる。要請電力特性情報はシンク機器がデュアル機能の支援が可能であることを示す電力供給／受信可能情報及びＰシンク機器としてＰソース機器から供給を受けようとする最小電力レベルに関する受信電力レベル情報を含むことができる。
【００９９】
次に、シンク機器は電力供給をソース機器に要請することができる（Ｓ５０２０）。
【０１００】
より詳しくは、シンク機器は電力供給が必要な場合、ＳＣＤＣＳ内の電力供給要請の有無を示す要請フィールド（Power_Required_Sink bit）を電力供給を要請する（または、シンク機器がＰシンクとして機能することを示す）既に設定された値で書き込むことができる。ソース機器はシンク機器のＳＣＤＣＳ内のアップデートされた該当フィールドを読み取ることによって、シンク機器の電力供給要請を受信することができる。
【０１０１】
次に、ソース機器はシンク機器に電力を供給する準備をすることができる（Ｓ５０３０）。例えば、ソース機器はシンク機器が所望のレベルの電力を物理的に供給するための回路トランジション動作などを遂行することができる。この際、シンク機器やはりソース機器から電力を安定的に供給を受ける準備をすることができる。本動作は実施形態によって選択的に遂行できる。
【０１０２】
次に、ソース機器はシンク機器が要請した電力レベルで電力を供給する準備が完了したことを知らせる準備完了メッセージをシンク機器に転送することができる（Ｓ５０４０）。例えば、ソース機器は電力を供給する準備が完了したことを知らせる準備完了メッセージをシンク機器に転送することができる。準備完了メッセージはＳＣＤＣ（Status and Control Data Channel）パラメータフォーマットで転送され、シンク機器に格納されているＳＣＤＣＳ（Status and Control Data Channel Structure）の準備完了フィールド（Power_Supply_Ready bit）に書き込み（または、設定／アップデート）できる。シンク機器はＳＣＤＣＳ内のアップデートされた前記フィールドを読み取ることによって、ソース機器が電力を供給する準備が完了したことが分かる。
【０１０３】
最後に、ソース機器はシンク機器に電力供給を始めることができる（Ｓ５０５０）。より詳しくは、ソース機器はシンク機器が要請したレベルの電力をソース機器にＨＤＭＩケーブルを介して転送することができる。
【０１０４】
一方、本順序図に図示してはいないが、ソース機器はシンク機器が供給を受けようとする電力レベルと自身が供給することができる電力レベルとを相互比較することができる（ステップＳ５０４０の以前、またはステップＳ５０３０で）。もし、２電力レベルがマッチングされる場合（即ち、シンク機器が要請したレベルの電力をソース機器が供給可能な場合）、ソース機器はシンク機器との電力折衝を続けて進行することができ（例えば、ステップＳ５０４０に進入することができ）、反対に、２電力レベルがマッチングされない場合（即ち、同一でない場合）、ソース機器はシンク機器との電力折衝を中断することができる。本動作は実施形態によって選択的に遂行されることができ、他のステップと順序が変更されることもできる。
【０１０５】
また、図２で前述したように、本順序図に追加でシンク機器はソース機器から電力が供給されたか、及び／又は供給されたならば、供給された電力レベルがどれ位か（即ち、供給状態情報）をディテクトして、これをソース機器に知らせることができる。より詳しくは、シンク機器はソース機器から電力供給がしたか、または失敗したかを示す情報をＳＣＤＣＳの供給状態フィールド（Power_Supply_Status bit）に格納することができる。ソース機器はアップデートされた該当フィールドを読み取ることによって電力送信の成功か否かが分かる。
【０１０６】
また、シンク機器はステップＳ５０４０の以後、電力の供給を受けるまで既に設定された時間の間待機することができる。
【０１０７】
前述した第３及び第４実施形態を参照すると、各ソース／シンク機器の機能は多少差があるが、ＨＤＭＩシステムの全体的な動作は実施形態別に同一であることを確認することができる。したがって、第３及び第４実施形態の電力転送プロトコルに従う場合、各機器の機能によって互いに異なるプロトコルを適用する必要がないという点でＨＤＭＩシステムが単純になるという長所がある。
【０１０８】
図６は、本発明の第５実施形態に従うＨＤＭＩシステムの電力送受信動作に関する順序図である。本順序図でソース機器及びシンク機器は全てデュアル機器として動作する。シンク機器がデュアル機器の場合、シンク機器のデフォルト機能はＰソース、ソース機器のデフォルト機能はＰシンクでありうる。本順序図ではソース機器及びシンク機器に外部電力を供給する外部電力アダプターが各機器と連結解除された場合の電力送受信動作を説明する。本順序図には図２から図５で前述した説明が同一に適用できる。
【０１０９】
図６を参照すると、まず、シンク機器は電力供給支援情報をソース機器に転送することができる（Ｓ６０１０）。
【０１１０】
より詳しくは、ＨＤＭＩケーブルを介してソース機器とシンク機器が連結される場合、ソース機器はシンク機器からＥＤＩＤ情報を受信することができる。この際、ソース機器が受信するＥＤＩＤ情報にはシンク機器の電力供給支援情報が含まれていることができる。電力供給支援情報はＥＤＩＤ情報内のＨＦ−ＶＳＤＢに含まれて送受信できる。電力供給支援情報はシンク機器がデュアル機能の支援が可能であることを示す電力供給可能情報及び／又はＰソース機器としてＰシンク機器に供給可能な（最大）電力レベルに関する供給電力レベル情報を含むことができる。
【０１１１】
次に、ソース機器は要請電力特性情報をシンク機器に転送することができる（Ｓ６０２０）。
【０１１２】
より詳しくは、ソース機器は要請電力特性情報としてシンク機器がＰソース機器として機能することを要請する要請情報及び／又はデュアル機器であるシンク機器から供給を受けることを所望する（最小）電力レベルに関する要請電力情報をシンク機器に転送することができる。この際、シンク機器に転送される要請情報及び／又は要請電力特性情報はＳＣＤＣ（Status and Control Data Channel）パラメータフォーマットで転送され、シンク機器に格納されているＳＣＤＣＳ（Status and Control Data Channel Structure）の要請フィールド（Power_Required_Source bit）及び要請電力特性フィールド（Power configuration register）に各々書き込み（または、設定／アップデート）できる。シンク機器はアップデートされた前記フィールドを読み取ることによって、ソース機器が供給を受けることを所望する電力レベルが分かる。
【０１１３】
次に、シンク機器はソース機器に電力を供給する準備をすることができる（Ｓ６０３０）。例えば、シンク機器はソース機器が所望のレベルの電力を物理的に供給するための回路トランジション動作などを遂行することができる。この際、ソース機器やはりシンク機器から電力を安定的に供給を受ける準備をすることができる。本動作は実施形態によって選択的に遂行できる。
【０１１４】
次に、シンク機器は電力を供給する準備が完了したことを知らせる準備完了メッセージをソース機器に転送することができる（Ｓ６０４０）。より詳しくは、ソース機器が要請した電力レベルで電力供給の準備を完了したシンク機器は、ＳＣＤＣＳ内の準備完了フィールド（Power_Supply_Ready bit）を電力供給の準備完了（または、シンク機器がＰソースとして機能すること）を示す既に設定された値で書き込むことができる。ソース機器はアップデートされた前記フィールドを読み取ることによって、シンク機器が電力を供給する準備が完了したことが分かる。この場合、シンク機器は準備完了フィールドが指示する電力供給準備完了情報を準備完了メッセージとしてソース機器に転送することができる。
【０１１５】
最後に、シンク機器はソース機器に電力供給を始めることができる（Ｓ６０５０）。より詳しくは、シンク機器はソース機器が要請したレベルの電力をソース機器にＨＤＭＩケーブルを介して転送することができる。
【０１１６】
本順序図に図示してはいないが、図２で前述したように、追加でソース機器はシンク機器から電力が供給されたか、及び／又は供給されたならば、供給された電力レベルがどれ位か（即ち、供給状態情報）をディテクトして、これをシンク機器に知らせることができる。また、ソース機器はステップＳ６０４０の以後、電力の供給を受けるまで既に設定された時間の間待機することができる。
【０１１７】
図７は、本発明の第６実施形態に従うＨＤＭＩシステムの電力送受信動作に関する順序図である。本順序図でソース機器及びシンク機器は全てデュアル機器として動作する。シンク機器がデュアル機器の場合、シンク機器のデフォルト機能はＰソース、ソース機器のデフォルト機能はＰシンクでありうる。本順序図ではソース機器に外部電力を供給する外部電力アダプターが連結された場合の電力送受信動作を説明する。また、本順序図は図６の次の動作として遂行されることができ、本順序図には図２から図６で前述した説明が同一に適用できる。
【０１１８】
図７を参照すると、まず、ソース機器はシンク機器への電力供給の中断を要請することができる（Ｓ７０１０）。
【０１１９】
次に、シンク機器はソース機器への電力供給を中断することができる（Ｓ７０２０）。より詳しくは、シンク機器はソース機器の電力供給中断要請によってソース機器への電力供給を中断することができる。
【０１２０】
次に、シンク機器はソース機器に電力供給を要請することができる（Ｓ７０３０）。
【０１２１】
より詳しくは、シンク機器は電力供給を必要とする場合、ＳＣＤＣＳ内の電力供給要請があるか否かを示す要請フィールド（Power_Required_Sink bit）を電力供給を要請する（または、シンク機器がＰシンクとして機能することを示す）既に設定された値で書き込むことができる。ソース機器はシンク機器のＳＣＤＣＳ内のアップデートされた該当フィールドを読み取ることによって、シンク機器の電力供給要請を受信することができる。
【０１２２】
次に、ソース機器はシンク機器に電力を供給する準備をすることができる（Ｓ７０４０）。例えば、ソース機器はシンク機器が所望のレベルの電力を物理的に供給するための回路トランジション動作などを遂行することができる。この際、シンク機器やはりソース機器から電力を安定的に供給を受ける準備をすることができる。本動作は実施形態によって選択的に遂行できる。
【０１２３】
次に、ソース機器はシンク機器が要請した電力レベルで電力を供給する準備が完了したことを知らせる準備完了メッセージをシンク機器に転送することができる（Ｓ７０５０）。例えば、ソース機器は電力を供給する準備が完了したことを知らせる準備完了メッセージをシンク機器に転送することができる（Ｓ７０５０）。準備完了メッセージはＳＣＤＣ（Status and Control Data Channel）パラメータフォーマットで転送され、シンク機器に格納されているＳＣＤＣＳ（Status and Control Data Channel Structure）の準備完了フィールド（Power_Supply_Ready bit）に書き込み（または、設定／アップデート）できる。シンク機器はＳＣＤＣＳ内のアップデートされた前記フィールドを読み取ることによって、ソース機器が電力を供給する準備が完了したことが分かる。
【０１２４】
最後に、ソース機器はシンク機器に電力供給を始めることができる（Ｓ７０６０）。より詳しくは、ソース機器はシンク機器が要請したレベルの電力をソース機器にＨＤＭＩケーブルを介して転送することができる。
【０１２５】
一方、本順序図に図示してはいないが、ソース機器はシンク機器が供給を受けようとする電力レベルと自身が供給することができる電力レベルとを相互比較することができる（ステップＳ７０５０の以前、またはステップＳ７０４０で）。もし、２電力レベルがマッチングされる場合（即ち、シンク機器が要請したレベルの電力をソース機器が供給可能な場合）、ソース機器はシンク機器との電力折衝を続けて進行することができ（例えば、ステップＳ７０５０に進入することができ）、反対に、２電力レベルがマッチングされない場合（即ち、同一でない場合）、ソース機器はシンク機器との電力折衝を中断することができる。本動作は実施形態によって選択的に遂行されることができ、他のステップと順序が変更されることもできる。
【０１２６】
また、図２で前述したように、本順序図に追加でシンク機器はソース機器から電力が供給されたか、及び／又は供給されたならば、供給された電力レベルがどれ位か（即ち、供給状態情報）をディテクトして、これをソース機器に知らせることができる。より詳しくは、シンク機器はソース機器からの電力供給が成功したか、または失敗したかを示す情報をＳＣＤＣＳの供給状態フィールド（Power_Supply_Status bit）に格納することができる。ソース機器は、アップデートされた該当フィールドを読み取ることによって、電力送信の成功か否かが分かる。
【０１２７】
また、シンク機器はステップＳ７０５０の以後、電力の供給を受けるまで既に設定された時間の間待機することができる。
【０１２８】
前述した第５及び第６実施形態を参照すると、各々第３及び第５実施形態と実質的に同一であることを確認することができる。したがって、本発明の電力転送プロトコルに従う時、ＨＤＭＩシステムが単純になる長所がある。
【０１２９】
図８は、本発明の一実施形態に従うlow/dead Batteryであるソース機器に電力を供給するＨＤＭＩシステムに関する順序図である。本明細書でlow／dead batteryとは、バッテリー残量が既に設定されたレベルより低いか、または全て消尽されて電源が不活性化された（または、off）状態を意味することができる。本順序図でソース機器はＰシンク機器、シンク機器はＰソース機器として動作する。本順序図には図２から図７で前述した説明が同一に適用できる。
【０１３０】
まず、シンク機器はＨＤＭＩケーブルを介してソース機器と連結されれば、＋５Ｖ信号がディテクトされるか否かを確認することができる（Ｓ８０１０）。バッテリー残量が残っているソース機器はシンク機器とＨＤＭＩケーブルを介して連結される場合、＋５Ｖ電力ラインをローレベルからハイレベルに転換し、電流を印加することによって、シンク機器に＋５Ｖ信号を転送（または、印加）する。しかしながら、バッテリー残量が既に設定されたレベル未満であるソース機器は（即ち、low/dead batteryであるソース機器）＋５Ｖ電力ラインをローレベルからハイレベルに転換が不可であるので、シンク機器に＋５Ｖ信号を転送できなくなる。したがって、シンク機器は＋５Ｖ信号がディテクトされるか否かに基づいてソース機器がlow/dead battery状態か否かを判断することができる。本実施形態でソース機器はlow/dead battery状態であるので、＋５Ｖ信号をシンク機器に転送できず、その結果、シンク機器は＋５Ｖ信号をディテクトすることができない。
【０１３１】
次に、シンク機器は既に設定された電力レベルでソース機器に電力（または、デフォルト電圧及び電流）を供給することができる（Ｓ８０２０）。この際、既に設定された電力レベルはソース機器と電力折衝を遂行するために要求される最小限の電力レベルに決定できる。
【０１３２】
次に、ソース機器はシンク機器に＋５Ｖ信号を転送することができる（Ｓ８０３０）。ソース機器はステップＳ８０２０でシンク機器から電力の供給を受けて電源が活性化（または、on）されて＋５Ｖ信号をシンク機器に転送することができる状態になることができる。その結果、活性化されたソース機器はシンク機器からＥＤＩＤ情報を受信するために＋５Ｖ信号をシンク機器に転送することができる。
【０１３３】
次に、シンク機器はＨＰＤ（Hot Plug Detect）信号をソース機器に転送することができる（Ｓ８０４０）。より詳しくは、シンク機器はＨＰＤラインをローレベルからハイレベルに転換して、ＨＤＭＩケーブルが正常に連結され、ＥＤＩＤ関連回路が活性化されてＥＤＩＤ情報へのアクセスが可能であることをソース機器に知らせることができる。
【０１３４】
次に、ソース機器及びシンク機器は、図２及び３の順序図に従う電力折衝及び電力折衝結果に従う電力供給動作などを遂行することができる。即ち、ＨＤＭＩシステムはステップＳ８０４０の次の動作として図２及び図３の順序図の動作を遂行することができる。特に、ソース機器がステップＳ８０２０で供給を受けた既に設定されたレベルの電圧より高いレベルの電圧の供給を受けることを所望する場合に、図４及び図５の電力折衝過程を進行して所望の電力の供給を受けることができる。
【０１３５】
図９は本発明の一実施形態に従うlow/dead Batteryであるシンク機器に電力を供給するＨＤＭＩシステムに関する順序図である。本順序図でソース機器はＰソース機器、シンク機器はＰシンク機器として動作する。本順序図には図２から図８で前述した説明が同一に適用できる。
【０１３６】
まず、ソース機器とシンク機器がＨＤＭＩケーブルを介して連結されれば、ソース機器はシンク機器に＋５Ｖ信号を転送することができる（Ｓ９０１０）。
【０１３７】
次に、ソース機器はシンク機器からＨＰＤ信号がディテクトされるか否かを確認することができる（Ｓ９０２０）。バッテリー残量が残っているシンク機器は、ソース機器から＋５Ｖ信号を受信する場合、これに対する応答としてＨＰＤ信号をソース機器に転送する。しかしながら、バッテリー残量が既に設定されたレベル未満であるシンク機器は（即ち、low/dead batteryであるシンク機器）ＨＰＤラインをローレベルからハイレベルに転換が不可であるので、ソース機器にＨＰＤ信号を転送できなくなる。したがって、ソース機器は＋５Ｖ信号を転送した後、既に設定された時間の間ＨＰＤ信号がディテクトされるか否かに基づいてシンク機器がlow/dead battery状態か否かを判断することができる。本実施形態でシンク機器はlow/dead battery状態であるので、ＨＰＤ信号をソース機器に転送できず、その結果、ソース機器はＨＰＤ信号をディテクトできない（または、ＨＰＤ信号を未受信することができる）。
【０１３８】
次に、ソース機器は既に設定された電力レベルでシンク機器に電力（または、デフォルト電圧及び電流）を供給することができる（Ｓ９０３０）。この際、既に設定された電力レベルはソース機器と電力折衝を遂行するために要求される最小限の電力レベルに決定できる。
【０１３９】
次に、ソース機器はシンク機器に＋５Ｖ信号を転送することができる（Ｓ９０４０）。
【０１４０】
次に、シンク機器はＨＰＤ（Hot Plug Detect）信号をソース機器に転送することができる（Ｓ９０５０）。シンク機器はステップＳ９０４０でソース機器から電力の供給を受けて電源が活性化（または、on）されてＨＰＤ信号をソース機器に転送できる状態になることができる。したがって、シンク機器はＨＰＤラインをローレベルからハイレベルに転換して、ＨＤＭＩケーブルが正常に連結され、ＥＤＩＤ関連回路が活性化されてＥＤＩＤ情報へのアクセスが可能であることをソース機器に知らせることができる。その結果、ソース機器は活性化されたシンク機器からＥＤＩＤ情報を受信することができる。
【０１４１】
次に、ソース機器及びシンク機器は、図４及び図５の順序図に従う電力折衝及び電力折衝結果に従う電力供給動作などを遂行することができる。即ち、ＨＤＭＩシステムはステップＳ９０５０の次の動作として図４及び図５の順序図の動作を遂行することができる。特に、シンク機器がステップＳ９０３０で供給を受けた既に設定されたレベルの電圧より高いレベルの電圧の供給を受けることを所望する場合に、図４及び図５の電力折衝過程を進行して所望の電力の供給を受けることができる。
【０１４２】
以上、本発明の実施形態に従うＨＤＭＩシステムにおける電力供給プロトコルに関して説明した。以下では前述した実施形態に従う電力供給プロトコルで使われるＨＦ−ＶＳＤＢパラメータ及びＳＣＤＣパラメータについて説明する。
【０１４３】
１．ＨＦ−ＶＳＤＢパラメータ
（１）機能
*PSourceフィールド（電力供給可能情報）（１bit）：‘１’に設定される場合、シンク機器は電力を提供することができることを指示する（when set to 1、the Sink device is capable of providing a power）。即ち、‘１’に設定される場合、シンク機器はＰソースとして機能することを指示する。
【０１４４】
*PSinkフィールド（電力受信可能情報）（１bit）：‘１’に設定される場合、シンク機器は電力を消費することができることを指示する（when set to 1、the Sink device is willing to consume a power）。即ち、‘１’に設定される場合、シンク機器はＰシンクとして機能することを指示する。
【０１４５】
PSourceフィールド及びPSinkフィールドが全て‘１’に設定された場合には、シンク機器がデュアルに機能することを指示することができる。
【０１４６】
（２）電力供給能力
*Voltage levelフィールド（３bit）：０（３．３Ｖ）、１（５Ｖ）、２（９Ｖ）、３（１２Ｖ）、４（２０Ｖ）、５〜７：reserved for future use。
【０１４７】
*Current levelフィールド（２bit）：０（１Ａ）、１（２Ａ）、２〜３：reserved for future use
【０１４８】
PSourceフィールドが‘１’に設定される場合、voltage levelフィールドで指示するレベルの電圧及びcurrent levelフィールドで指示するレベルの電流はシンク機器が供給可能な最大電力レベルを指示する。
【０１４９】
PSinkフィールドが‘１’に設定される場合、voltage levelフィールドで指示するレベルの電圧及びcurrent levelフィールドで指示するレベルの電流はシンク機器が消費する（または、供給を所望する）最小電力レベルを指示する。
【０１５０】
２．ＳＣＤＣパラメータ
*Power_Required_Source bit（要請フィールド）（１bit）
【０１５１】
‘１’に設定されれば、ソース機器（Ｐシンク機器）が電力の供給を受ける必要があることを指示する（または、シンク機器がＰソース機器として機能することを指示する）。
【０１５２】
*Power_Required_Sink bit（要請フィールド）（１bit）
【０１５３】
‘１’に設定されれば、シンク機器（Ｐシンク機器）が電力の供給を受ける必要があることを指示する（または、シンク機器がＰシンク機器として機能することを指示する）。
【０１５４】
*Power_Supply_Ready bit（準備完了フィールド）（１bit）
【０１５５】
‘１’に設定されれば、Ｐソース機器としてシンク／ソース機器は電力を供給する準備が完了したことを指示する。
【０１５６】
*Power_Supply_Status bit（供給状態フィールド）（１bit）
【０１５７】
‘１’に設定されれば、Ｐシンク機器としてシンクまたはソース機器は電力の受信をディテクトしなかったことを指示する。
【０１５８】
*Power Configuration Register（要請電力特性フィールド）（５bits、write only register）
【０１５９】
ソース機器がＰシンク機器として動作する場合、ソース機器が供給を受けることを所望する電圧／電力レベルを指示する。
【０１６０】
前述したフィールドは例示に過ぎず、実施形態によってビットサイズ及びフィールド名が異なるように設定できる。また、特定情報を指示するために設定されるビット値やはり‘１’として例示したが、実施形態によって他の値に設定できる。また、前記フィールドは実施形態によって１つのフィールドに結合されて特定情報を指示することもできる。
【０１６１】
説明の便宜のために各図面を分けて説明したが、各図面に叙述されている実施形態を併合して新しい実施形態を具現するように設計することも可能である。また、表示装置は前述したように説明された実施形態の構成と方法が限定されるように適用できるものでなく、前述した実施形態は多様な変形がなされるように各実施形態の全部または一部が選択的に組合わせて構成されることもできる。
【０１６２】
また、以上では望ましい実施形態について図示し、説明したが、本明細書は、上述した特定の実施形態に限定されず、請求の範囲で請求する要旨を逸脱することなく、当該明細書が属する技術分野における通常の知識を有した者により様々な変形実施が可能であることはもちろんであり、このような変形実施は、本明細書の技術的思想や展望から個別的に理解されてはならないであろう。
【０１６３】
様々な実施形態が本発明を実施するための最善の形態で説明された。
【産業上の利用可能性】
【０１６４】
本発明は一連のＨＤＭＩ分野で用いられる。
【０１６５】
本発明の思想や範囲を逸脱することなく、本発明において様々な変更及び変形が可能であることは当業者に自明である。したがって、本発明は、添付された請求項及びその同等範囲内で提供される本発明の変更及び変形を含むことと意図される。
【図１】
0006490868.tif 000002
【図２】
0006490868.tif 000003
【図３】
0006490868.tif 000004
【図４】
0006490868.tif 000005
【図５】
0006490868.tif 000006
【図６】
0006490868.tif 000007
【図７】
0006490868.tif 000008
【図８】
0006490868.tif 000009
【図９】
0006490868.tif 000010